(57)【要約】  【課題】  クレイドルにポータブルＭＤを接続する際に、ポータブルＭＤを押し込むことから、ポータブルＭＤがクレイドルと摺動して摩耗する。  【解決手段】  クレイドル１に、ポータブルＭＤ３と一体になって移動する移動ホルダ２を設け、該移動ホルダ２にはコネクタ接続用の開口部２ａを設け、ポータブルＭＤ３を移動ホルダ２と共に押し込むことにより、ポータブルＭＤ３に設けられた第１コネクタ１９が、開口部２ａを介してクレイドル１に設けられた第２コネクタ４に着脱自在に結合されるようにし、ポータブルＭＤ３がクレイドル１と直接に摺動しないようにした。  【選択図】  図１
2005346877.tif 000002
【特許請求の範囲】
【請求項１】
電子機器を押し込むことにより、該電子機器に設けられた第１コネクタが、クレイドルに設けられた第２コネクタに着脱自在に結合されるようにしたクレイドルにおいて、
前記クレイドルに、前記電子機器を押圧することにより該電子機器と一体になって移動する移動ホルダを設け、該移動ホルダには前記第２コネクタを挿通させて前記第１コネクタに接続させるための開口部を設けたことを特徴とするクレイドル。
【請求項２】
請求項１に記載のクレイドルにおいて、前記移動ホルダには、前記電子機器に押圧される床部と、該床部に対して略直角であって、該床部の長辺と該長辺の両隣の短辺とに対応する３つの壁面とで構成したことを特徴とするクレイドル。
【請求項３】
請求項１又は２に記載のクレイドルにおいて、押し込まれた前記移動ホルダを、押し込まれる前の初期位置へ向かって付勢する付勢手段を設ける一方、前記移動ホルダを、該移動ホルダが押し込まれた位置である接続位置で拘束するロック手段を設けたことを特徴とするクレイドル。
【請求項４】
請求項３に記載のクレイドルにおいて、前記ロック手段のロックを解除し、その後に前記移動ホルダを前記初期位置へ向かって押し戻して前記コネクタの接続を解除するリリース手段を設けたことを特徴とするクレイドル。
【請求項５】
請求項１〜４に記載のクレイドルにおいて、前記移動ホルダが押し込まれる際に前記開口部を開く一方、前記移動ホルダが初期位置へ戻る際に前記開口部を閉じる開閉蓋を設けたことを特徴とするクレイドル。
【発明の詳細な説明】
【技術分野】
【０００１】
本発明は、クレイドルに関し、クレイドルに電子機器を接続する際に、電子機器がクレイドルに擦れて摩耗しないようにしたものである。
【背景技術】
【０００２】
電子機器の一つである例えばＭＤ（ミニディスク）の記録再生を行うポータブルＭＤは、クレイドルに接続して使用する場合がある。これは、ポータブルＭＤを充電したり、あるはポータブルＭＤで再生した音声をクレイドルに設けられたスピーカから流したりするためである。このため、ポータブルＭＤとクレイドルとが電気的に接続される。このポータブルＭＤとクレイドルとの接続は、コネクタを介して行われている。
【０００３】
従来のクレイドルは、特許文献１に記載のように、携帯型の情報端末装置を立てた状態で、クレイドルの傾斜面に沿って挿入し、携帯型の情報端末装置のコネクタとクレイドルのコネクタとを接続するように構成されている。
【特許文献１】特開２００３−３０９６３７号公報
【発明の開示】
【発明が解決しようとする課題】
【０００４】
ところが、携帯型の情報端末装置が直接にクレイドルと接触して摺動するため、携帯型の情報端末装置が擦れて摩耗したり、塗装が剥がれる等の問題がある。
【０００５】
そこで本発明は、上記の課題を解決したクレイドルを提供することを目的とする。
【課題を解決するための手段】
【０００６】
請求項１に係る発明は、電子機器を押し込むことにより、該電子機器に設けられた第１コネクタが、クレイドルに設けられた第２コネクタに着脱自在に結合されるようにしたクレイドルにおいて、前記クレイドルに、前記電子機器を押圧することにより該電子機器と一体になって移動する移動ホルダを設け、該移動ホルダには前記第２コネクタを挿通させて前記第１コネクタに接続させるための開口部を設けたことを特徴とする。
【０００７】
このようなクレイドルでは、電子機器を移動ホルダに押し当て、その状態で電子機器を移動ホルダと共に押し込む。すると、移動ホルダの移動に伴って、クレイドルの第２コネクタが移動ホルダの開口部に挿通され、この第２コネクタが電子機器の第１コネクタに接続される。
【０００８】
請求項２に係る発明は、請求項１に記載のクレイドルにおいて、前記移動ホルダには、前記電子機器に押圧される床部と、該床部に対して略直角であって、該床部の長辺と該長辺の両隣の短辺とに対応する３つの壁面とで構成したことを特徴とする。
【０００９】
このようなクレイドルでは、移動ホルダが床部とその他の３つの壁面とで構成されるので、電子機器が直接にクレイドルと摺動することはなく、摩擦による電子機器の摩耗や塗装の剥離が未然に防止される。
【００１０】
請求項３に係る発明は、請求項１又は２に記載のクレイドルにおいて、押し込まれた前記移動ホルダを、押し込まれる前の初期位置へ向かって付勢する付勢手段を設ける一方、前記移動ホルダを、該移動ホルダが押し込まれた位置である接続位置で拘束するロック手段を設けたことを特徴とする。
【００１１】
このようなクレイドルでは、電子機器を接続位置へ押し込むと、付勢手段により電子機器には初期位置へ戻ろうとする力が作用するが、ロック手段の作用により、押し込んだ電子機器は、接続位置で保持される。
【００１２】
請求項４に係る発明は、請求項３に記載のクレイドルにおいて、前記ロック手段のロックを解除し、その後に前記移動ホルダを前記初期位置へ向かって押し戻して前記コネクタの接続を解除するリリース手段を設けたことを特徴とする。
【００１３】
このようなクレイドルでは、リリース手段を作用させると、ロックされていた電子機器のロックが解除され、その後に電子機器が初期位置へ向かって押し戻されて第１コネクタが第２コネクタから抜き取られる。その後は付勢手段の作用により、電子機器は初期位置へ戻る。
【００１４】
請求項５に係る発明は、請求項１〜４に記載のクレイドルにおいて、前記移動ホルダが押し込まれる際に前記開口部を開く一方、前記移動ホルダが初期位置へ戻る際に前記開口部を閉じる開閉蓋を設けたことを特徴とする。
【００１５】
このようなクレイドルでは、電子機器がクレイドルに接続されていない状態では、開閉蓋が開口部を閉じている。電子機器が接続される際には、開閉蓋が開いて開口部を開放し、該開口部を介してコネクタの接続が行われる。
【発明の効果】
【００１６】
本発明に係るクレイドルによれば、電子機器を移動ホルダに押し当て、その状態で電子機器を移動ホルダと共に押し込むと、電子機器の第１コネクタが移動ホルダの第２コネクタに接続されるので、電子機器が直接にクレイドルと摺動することはなく、摩擦による電子機器の摩耗や塗装の剥離が未然に防止される。
【発明を実施するための最良の形態】
【００１７】
以下、本発明によるクレイドルの実施の形態を説明する。この実施の形態は、電子機器がポータブルＭＤの場合であって、クレイドルがポータブルＭＤを充電するためのものである場合を示す。
【００１８】
クレイドルの外観斜視図を図１に示す。クレイドル１には昇降する移動ホルダ２が設けられており、ポータブルＭＤ３を移動ホルダ２に押し当て、その状態でポータブルＭＤ３を移動ホルダ２と一体に下方へ押し込むことにより、該ポータブルＭＤ３に設けられた第１コネクタ（雄コネクタ）１９が、クレイドル１に設けられた第２コネクタ（雌コネクタ）４に着脱自在に結合されるようになっている。移動ホルダ２にはコネクタ接続の目的で第２コネクタ４が挿通される開口部２ａが形成されており、開口部２ａには、後述する開閉蓋５が設けられている。
【００１９】
クレイドル１は、外枠を構成する筐体８と、該筐体８から図１中の右下である前方へ突出して設けられポータブルＭＤ３を接続するための接続体６とで構成される。図２に示すように、クレイドル１の要部は、接続体６の内部に固定され背面側へ突出する支持台７と、ポータブルＭＤ３と共に斜め上下方向へ移動する前記移動ホルダ２と、前端部が該移動ホルダ２と係合し、後端部が前記支持台７の背面側に水平軸９ａを介して回動自在に支持台７に設けられたホルダレバー９と、前記水平軸９ａよりも前面側の水平軸１０ａを介して回動自在に支持台７に設けられ、前記移動ホルダ２が下降した状態で該移動ホルダ２をロックするためのロックレバー１０と、水平軸１０ａよりも前面側であって移動ホルダ２よりも少し前面側の水平軸１１ａを介して回動自在に支持台７に設けられ、前端を押し下げることにより後端を上昇させ、それにより前記ロックレバー１０を背面側へ回動させてロック解除し、その後に前記移動ホルダ２の下面を押圧して移動ホルダ２を上方へ押し上げるリリースレバー１１とで構成される。つまり、前記ホルダレバー９，ロックレバー１０，リリースレバー１１は、いずれも支持台７に回動自在に設けられている。
【００２０】
一方、ポータブルＭＤ３には、図１に示すように下面に第２コネクタ４が入り込む凹部３ａが形成され、凹部３ａの上方には第２コネクタ４が接続される第１コネクタ１９が内臓されている。そして、ポータブルＭＤ３の背面側には後述するロック爪１０ｅが係合する係合凹部３ｂが形成されている。
【００２１】
まず、移動ホルダ２について説明する。移動ホルダ２は、ポータブルＭＤ３によって上から押圧される略長方形の床部２ｂと、該床部２ｂから略直角に上方に伸び、床部２ｂの背面側の長辺と対応する背面部２ｃと、該長辺の両隣の短辺に対応する直角三角形の一対の側面部２ｄとで構成されている。ポータブルＭＤ３に設けられた第１コネクタ１９の位置の関係から、背面部２ｃには背面側へ突出する凸部２ｆが形成され、床部２ｂに形成された前記開口部２ａは床部２ｂよりも背面側へ少し突出した位置に配置されている。
【００２２】
移動ホルダ２を上下方向へ案内するための構造を以下に説明する。接続体６には、図３のように移動ホルダ６が昇降するための空間である昇降路６ａが形成されている。図３に示すように、昇降路６ａの両側の側壁６ｂには、上下方向に沿ってやや斜めにガイドスリット６ｃが形成されている。一方、移動ホルダ２の両側には側方へ突出する一対の円柱形のガイドピン２ｇが設けられ、該ガイドピン２ｇがガイドスリット６ｃに遊嵌されている。
【００２３】
ここで、以下に説明するいくつかのレバーの説明の便宜のため、前記支持台７の構成を先に説明する。前記支持台７は、前記昇降路６ａの下方に、接続体６と一体に形成されており、左右で一対の支持壁７ａと、一対の支持壁７ａの背面側どうしを連結する背面板７ｂとで略コの字形に構成されている。
【００２４】
前記ガイドピン２ｇの先端は、前記ホルダレバー９の前端と係合している。ホルダレバー９は、一対の側面レバー部９ｂと、一対の側面レバー部９ｂの前端どうしを連結する前面部９ｃと、一対の側面レバー部９ｂの後端どうしを連結する背面部９ｄとで四角形に構成され、一対の側面レバー部９ｂの後端近傍が前記水平軸９ａを介して前記支持台７に回動自在に支持されている。また、一対の側面レバー部９ｂの上面であって背面側の段部の位置どうしを連結する連結板部９ｇが設けられている。一対の側面レバー部９ｂの前面側は、前記側壁６ｂと、接続体６の側板６ｄとの間に配置されており、一対の側面レバー部９ｂの前端近傍には、図６に示すように長孔９ｅが形成されている。この長孔９ｅは前後方向へ長い長孔であり、長孔９ｅに前記ガイドピン２ｇが遊嵌されている。長孔９ｅは、側面レバー部９ｂとガイドピン２ｇとの相対的な位置ずれを吸収するために設けられている。
【００２５】
移動ホルダ２は、昇降路６ａ内で初期位置（最上位置）と接続位置（最下位置）を占めることができ、前記のように斜め下方へ接続位置まで押し込まれた移動ホルダ２を初期位置へ向かって押し上げるように付勢する付勢手段が設けられている。即ち、前記水平軸９ａを中心として回動自在なホルダレバー９の前端を上方へ付勢するための一対のばね９ｆが設けられる。ばね９ｆは、前記支持台７の左右の支持壁７ａであって、図６，図７に示すように背面側の内側に突出形成された一対の突起部７ｃを夫々囲繞するように設けられ、その一端が左右の支持壁７ａに形成されたバネ掛け部７ｄに係合し、他端がホルダレバー９の前記連結板部９ｇの下面に当接している。
【００２６】
移動ホルダ２が接続位置まで降下したときに、ポータブルＭＤ３の第１コネクタ１９と第２コネクタ４との位置決めを正確に行うために、移動ホルダ２の接続位置での位置決めを正確に行う必要がある。このため、位置決め手段が設けられる。即ち、以下のように構成されている。図４に示すように、移動ホルダ２の下面の両側には、下方へ向かって垂下する一対のガイドプレート２ｈが設けられている。夫々のガイドプレート２ｈの内側には、上下方向へ伸びる３本のリブ２ｉがガイドプレート２ｈに対して略直角に形成されている。夫々のリブ２ｉは上部から下部へ向かって幅寸法が小さくなって正三角形の形状となっている。一方、昇降路６ａの床面６ｅの両側には、前記ガイドプレート２ｈおよび３本のリブ２ｉを案内する略山の字形状のガイドスリット６ｆが形成されている。
【００２７】
昇降路６ａの床面６ｅには、ポータブルＭＤ３の第１コネクタ１９と接続するための前記第２コネクタ４が上方へ突出して設けられている。第２コネクタ４の構成を以下に説明する。図５に示すように、第２コネクタ４が、該第２コネクタ４の横断面の長辺である左右方向の辺と略平行な揺動軸を中心として、揺動可能に設けられている。以下に、この部分の構成について詳細に説明する。
【００２８】
第２コネクタ４はプリント板１２に一体に取り付けられており、第２コネクタ４の接続端である上部をプリント板１２の上端から突出させた状態で、プリント板１２が前記床面６ｅの下方に揺動可能に取り付けられている。そして、第２コネクタ４の接続端は、床面６ｅの開口部６ｆから上方へ突出している。
【００２９】
プリント板１２の床面６ｅへの取り付けは、プリント板１２をホルダ１３に結合し、該ホルダ１３を床面６ｅに取り付けることによって行われている。プリント板１２のホルダ１３への結合は、２本の固定ねじ１５を介して行われており、ホルダ１３に形成された凹部１３ｃに第２コネクタ４が入りこんでいる。ホルダ１３の床面６ｅへの取り付けは、ホルダ１３の両端に一体に形成した一対の円筒部１３ａを、床面６ｅの下面に形成した一対の円筒部６ｇに遊嵌することによって行われている。図５に示すように、円筒部６ｇにはめねじ部６ｈが形成されており、円筒部１３ａに挿通した固定ねじ１４がめねじ部６ｈにねじ込まれている。
【００３０】
床面６ｅに対してホルダ１３を揺動可能にすることで、第２コネクタ４を揺動可能にするために、円筒部１３ａの上端部に、弾性部が形成されている。即ち、円筒部１３ａの上半分の部分には、円筒部１３ａの軸心に沿うスリット１３ｄが円周方向へ９０度毎に４つの形成され、撓み易い弾性片（弾性部）１３ｅが形成されている。
【００３１】
このほか、床面６ｅに対するホルダ１３の揺動が、抵抗なく円滑に行えるように、ホルダ１３の上面と床面６ｅの下面とが当接する位置には、ホルダ１３と一体に畝状の凸部１３ｂが形成されている。この凸部１３ｂは、第２コネクタ４の長辺と略平行に形成されている。この凸部１３ｂの先端部を中心として、ホルダ１３と共にプリント板１２および第２コネクタ４が回動する。
【００３２】
次に、移動ホルダ２が接続位置まで降下した状態でポータブルＭＤ３を拘束するロック手段１６について説明する。前記のように、ロックレバー１０が水平軸１０ａを中心として回動自在に設けられている。ロックレバー１０は、左右方向へ長い軸部１０ｂと、該軸部１０ｂの中央から上方へ向かって突出する鉛直部１０ｃと、該軸部１０ｂの中央から前方へ向かって突出する押上部１０ｄとで構成されている。前記水平軸１０ａは左右に長い軸部１０ｂの両端から突出するようにして設けられており、支持台７を構成する一対の支持壁７ａの間に左右に長い軸部１０ｂの部分を配置した状態で、水平軸１０ａは支持台７の支持壁７ａに形成された図示しない孔に嵌め込まれている。鉛直部１０ｃの上端には前方へ向かって突出するロック爪１０ｅが一体に形成されている。図４に示すように、ロック爪１０ｅの先端には、上面から下面に亘ってテーパ面１０ｆが形成されており、該テーパ面１０ｆの延長線上の下面には突起１０ｇが形成されている。そして、ロック爪１０ｅは筐体８の前面に形成された開口部８ｂから前方へ突出している。また、前記押上部１０ｄは昇降路６ａの床面６ｅに形成された切欠部６ｉに入り込んでいる。この押上部１０ｄは、後述するリリース手段１７の一部を構成し、移動ホルダ２を下から押し上げる部分である。ロック爪１０ｅを開口部８ｂから前方へ突出付勢させるための一対のばね６ｊが設けられている。ばね６ｊは、前記支持台７の左右の支持壁７ａであって、図６，図７に示すように背面側の内側に突出形成された一対の突起部７ｃを夫々囲繞するように設けられ、その一端が左右の支持壁７ａに形成されたバネ掛け部７ｅに係合し、他端が軸部１０ｂの両端から上方へ突出するばね掛け部１０ｈに当接している。
【００３３】
前記ロック爪１０ｅによるロックを解除し、その後に移動ホルダ２を初期位置へ向かって押し上げて第１コネクタ１９と第２コネクタ４との接続を解除するリリース手段１７が設けられている。即ち、以下のように構成されている。前記リリースレバー１１は、左右の側面部１１ｂと、側面部１１ｂの前端どうしを連結する前面部１１ｃと、側面部１１ｂの後端どうしを連結する円弧状の背面部１１ｄと、底面部１１ｅとで枠状に形成され、支持台７を構成する一対の支持壁７ａの間にリリースレバー１１を配置した状態で、側面部１１ｂの前後方向での中間位置に外側へ向かって突出形成した一対の水平軸１１ａが支持壁７ａに形成した孔に嵌め込まれている。前記ばね６ｊの付勢力により下方へ付勢される押上部１０ｄにより、リリースレバー１１における円弧状の背面部１１ｄの上面中央が下方へ向かって常時付勢されており、リリースレバー１１における左右の側面部１１ｂの前端上面が支持台７の下面に当接している。前面部１１ｃには、人が操作するためのリリース部１１ｆが前方へ向かって突出形成され、該リリース部１１ｆは図１のように接続体６の開口部６ｋから突出している。そして、リリース部１１ｆを下方へ押したときに、円弧状の背面部１１ｄの上面中央が押上部１０ｄを押し上げてロックレバー１０を回動させ、ロック爪１０ｅが引っ込んだ後にタイムラグがあって、その後に移動ホルダ２の下面を押上部１０ｄが上へ向かって押し上げるように、押上部１０ｄと移動ホルダ２との隙間寸法が設定されている。
【００３４】
前記のように、開口部２ａには開閉蓋５が設けられている。この開閉蓋５は、移動ホルダ２が押し込まれる際に前記開閉蓋５が開く一方、前記移動ホルダ２が初期位置へ戻る際に前記開閉蓋５が閉じるように設定されている。図４に示すように、開閉蓋５には開閉蓋５に対して略直角にアーム部５ａが一体形成されてＬ字形になっており、該アーム部５ａの基端部の両側に突出形成された軸部５ｂが、図６のように昇降路６ａの背面壁６ｋから背面側へ突出する一対の軸受部６ｍに回動自在に支持されている。図２，図３に示すように、軸部５ｂにはばね５ｃが設けられ、ばね５ｃの一端は筐体８における前面部８ａの背面に当接し、他端は、開閉蓋５からアーム部５ａとは反対方向へ突出する図示しないばね掛け部に当接している。開閉蓋５は、ばね５ｃの付勢力により移動ホルダ２の下方から上方へ向かって付勢されて開口部２ａを塞いでおり、移動ホルダ２が降下すると、開閉蓋５が移動ホルダ２に押されて回動し、開閉蓋５の先端は移動ホルダ２の背面部２ｃの背面側に当接する。
【００３５】
図４に示すように、昇降路６ａの床面６ｅには、移動ホルダ２に押圧されて、ポータブルＭＤ３が接続位置にあることを検出する検出スイッチ１８が設けられている。
【００３６】
次に、クレイドルの作用を説明する。
【００３７】
ポータブルＭＤ３をクレイドル１に接続して充電する際には、図１に示すようにポータブルＭＤ３を上方から移動ホルダ２に押し当て、移動ホルダ２の背面部２ｃにポータブルＭＤ３を当接させた状態で、ポータブルＭＤ３を移動ホルダ２と共に下方へ押し込む。すると、ばね９ｆの付勢力に抗してホルダレバー９が回動しながら移動ホルダ２が降下する。移動ホルダ２が床部２ｂと背面部２ｃと側面部２ｄとで構成されるので、ポータブルＭＤ３が直接にクレイドル１に摺動することはなく、摩擦によるポータブルＭＤ３の摩耗や塗装の剥離が未然に防止される。移動ホルダ２が降下するにつれて、移動ホルダ２の開口部２ａを閉塞する開閉蓋５が移動ホルダ２に押され、ばね５ｃの付勢力に抗して回動する。そのため、開口部２ａが開く。このとき、開閉蓋５の先端部は、移動ホルダ２の背面部２ｃの背面側に当接する。
【００３８】
移動ホルダ２が最下端の接続位置に至ると、第２コネクタ４が移動ホルダ２の開口部２ａに相通され、更にポータブルＭＤ３の凹部３ａに挿入されて第１コネクタ１９に接続される。このとき、第２コネクタ４は、その長辺と平行な揺動軸に沿って揺動自在なので、第１コネクタ１９と第２コネクタ４との間に無理な力が加わることなく接続が行われる。
【００３９】
そして、移動ホルダ２の下面が図４に示す検出スイッチ１８を押すので、ポータブルＭＤ３とクレイドル１とが接続状態にあることが検出され、充電が開始される。また、ポータブルＭＤ３が降下する際には、ロック爪１０ｅのテーパ面１０ｆの部分がポータブルＭＤ３の下面によって押され、ロック爪１０ｅは一旦引っ込む。そして、移動ホルダ２が接続位置まで下がると、ばね６ｊの付勢力がロックレバー１０に加わっていることから、引っ込んでいたロック爪１０ｅが、突出して図８のようにポータブルＭＤ３の係合凹部３ｂに入り込む。このため、ばね９ｆの作用を受けて回動しようとするホルダレバー９により初期位置へ戻ろうとするポータブルＭＤ３が、接続状態でロックされて保持される。従って、ポータブルＭＤ３が抜けることはない。
【００４０】
ポータブルＭＤ３をクレイドル１から抜き取るには、リリース部１１ｆを下方へ押す。すると、ばね６ｊの付勢力に抗してリリースレバー１１が回動し、リリースレバー１１の円弧状の背面部１１ｄの上部が押上部１０ｄを上方へ押し、ロックレバー１０が回動してロック爪１０ｅが係合凹部３ｂから抜け、ポータブルＭＤ３のロックが解除される。その後にロックレバー１０の押上部１０ｄが移動ホルダ２の床部２ｂを下から押し上げる。このため、ポータブルＭＤ３が上昇し、第１コネクタ１９が第２コネクタ４から抜き取られる。その後は、ばね９ｆの作用により、ポータブルＭＤ３は初期位置まで押し上げられる。
【００４１】
このとき、ばね５ｃの作用により移動ホルダ２における背面部２ｃの背面側に付勢されていた開閉蓋５が、移動ホルダ２の上昇につれて回動し、移動ホルダ２の下方から開口部２ａを塞ぐことになる。従って、移動ホルダ２上からポータブルＭＤ３を取り除いても開口部２ａは開閉蓋５によって塞がれており、第２コネクタ４の内部に塵埃が入り込むことはない。
【００４２】
なお、電子機器としては、ポータブルＭＤに限らず、種々のものが対象になる。例えば、電子機器を携帯電話とし、クレイドルを介して携帯電話を充電したりあるいは携帯電話をパソコンに接続することができる。
【図面の簡単な説明】
【００４３】
【図１】クレイドルの斜視図（実施の形態）。
【図２】移動ホルダが初期位置を占める状態を一部破断して示すクレイドルの斜視図（実施の形態）。
【図３】移動ホルダが接続位置を占める状態を一部破断して示すクレイドルの斜視図（実施の形態）。
【図４】一部破断して示すクレイドルの要部斜視図（実施の形態）。
【図５】第２コネクタの取り付け状態を示す分解斜視図（実施の形態）。
【図６】クレイドルの側面断面図（実施の形態）。
【図７】クレイドルの底面図（実施の形態）。
【図８】クレイドルの作用説明図（実施の形態）。
【符号の説明】
【００４４】
１…クレイドル
２…移動ホルダ
２ａ…開口部
２ｂ…床部
２ｃ…背面部
２ｄ…側面部
３…ポータブルＭＤ（電子機器）
４…第２コネクタ
５…開閉蓋
９ｆ…ばね（付勢手段）
１６…ロック手段
１７…リリーフ手段
１９…第１コネクタ
【図１】
2005346877.tif 000003
【図２】
2005346877.tif 000004
【図３】
2005346877.tif 000005
【図４】
2005346877.tif 000006
【図５】
2005346877.tif 000007
【図６】
2005346877.tif 000008
【図７】
2005346877.tif 000009
【図８】
2005346877.tif 000010